(57)【要約】      （修正有）【課題】使い勝手がよく効果的な情報発信手段付き帽子を提供する。【解決手段】情報発信者が対象者に情報を発信するための情報発信端末付き帽子であって、帽子と情報発信端末と前記帽子に前記情報発信端末に取り付ける取付部とを備える。【選択図】図３
0003222834.tif 000002
【実用新案登録請求の範囲】
【請求項１】
情報発信者が対象者に情報を発信するための情報発信端末付き帽子であって、
帽子と、
情報発信端末と、
前記帽子に前記情報発信端末に取り付ける取付部と、
を備えることを特徴とする情報発信端末付き帽子。
【請求項２】
前記情報発信端末は、
自端末の位置情報を取得する位置情報取得手段と、
前記対象者に発信される情報を、前記位置情報と対応付けて記憶した記憶手段と、
前記情報を表示する画像表示手段と、
を備え、
前記画像表示手段は、
前記位置情報取得手段により取得された位置情報と対応して前記記憶手段により記憶された情報を表示すること、
を特徴とする請求項１に記載の情報発信端末付き帽子。
【請求項３】
前記情報は、広告コンテンツであること、
を特徴とする請求項１又は２に記載の情報発信端末付き帽子。
【考案の詳細な説明】
【技術分野】
【０００１】
本考案は、情報発信端末付き帽子に関する。
【背景技術】
【０００２】
近年、デジタルサイネージ（Digital Signage）が広く普及している。デジタルサイネージは、街中、ビル、駅など、人目に付く場所に設置したディスプレイに、映像や音声など各種のコンテンツをタイムリーに配信する電子看板システムである。広告コンテンツを配信する広告媒体としても活用される。
【０００３】
例えば、特許文献１には、どのような種類の広告媒体を使用して、どのような方法で宣伝を行うかを店舗の状況に応じて指定することができ、集客効果の高い宣伝を実現できるようにする発明が記載されている。
【先行技術文献】
【特許文献】
【０００４】
【特許文献１】特開２０１６−１７０８２２号公報
【特許文献２】特開２００４−１９０１５４号公報
【特許文献３】特開２００３−２７９８８３号公報
【考案の概要】
【考案が解決しようとする課題】
【０００５】
しかしながら、デジタルサイネージは、街中、ビル、駅などに設置する場合、設置場所やコストの問題があり、設置が必ずしも容易ではない。この点、宣伝車に設置された移動型デジタルサイネージも存在するものの、例えば道路交通上、車の移動範囲・停車位置に制限があるなどして、使い勝手がよくない場合があった。
【０００６】
本考案は、上記の点に鑑み提案されたものであり、情報発信端末付き帽子を提供し、使い勝手がよく効果的な情報発信手段を提案することを目的とする。
【０００７】
なお、特許文献２、３記載の発明は、表示装置付き帽子の装着者が視認可能となる位置に表示装置を配置したものであって、装着者の視認性向上をなしたものである。これに対して、本考案は、表示装置付き帽子の装着者ではなく、外部者が視認可能となる位置に表示装置を配置したものとなっている。
【課題を解決するための手段】
【０００８】
上記の課題を解決するため、本考案に係る情報発信端末付き帽子は、情報発信者が対象者に情報を発信するための情報発信端末付き帽子であって、帽子と、情報発信端末と、前記帽子に前記情報発信端末に取り付ける取付部と、を備える。
【考案の効果】
【０００９】
本考案の実施の形態によれば、使い勝手がよく効果的な情報発信手段を提案することができる。
【図面の簡単な説明】
【００１０】
【図１】本実施形態に係る情報発信端末付き帽子（使用前）を示す図である。
【図２】本実施形態に係る情報発信端末付き帽子（使用時）を示す図である。
【図３】本実施形態に係る情報発信端末付き帽子の使用態様を示す図である。
【図４】本実施形態に係る情報発信端末の機能ブロックを示す図である。
【図５】本実施形態に係る広告ＤＢのデータ例を示す図である。
【図６】本実施形態に係る情報発信端末１０の広告配信処理を示すフローチャート図である。
【図７】本実施形態に係る情報発信端末３０の画面例を示す図である。
【考案を実施するための形態】
【００１１】
本考案の実施の形態について、図面を参照しつつ詳細に説明する。
＜情報発信端末付き帽子＞
（使用前）
図１は、本実施形態に係る情報発信端末付き帽子（使用前）を示す図である。図１に示されるように情報発信端末付き帽子１００は、帽子１０、スマートフォンケース２０、及びスマートフォン３０を含む。
【００１２】
帽子１０は、装着者の被る帽子である（帽子部）。帽子のサイズはフリーサイズが望ましく、帽子素材は問わない。
【００１３】
スマートフォンケース２０は、帽子１０にスマートフォン３０を装着するために設けられたスマートフォンのケースである（取付部）。帽子１０にはスマートフォンケース２０が固定されており、スマートフォンケース２０にスマートフォン３０を嵌め込むように取り付けることで、帽子１０にスマートフォン３０が取り付けられる。
【００１４】
情報発信端末（以下スマートフォンという）３０は、広告や告知等の情報発信を行うための情報発信端末の一例として、例えばスマートフォン及びタブレット端末などである。スマートフォン及びタブレット端末のサイズは、帽子１０に取り付けられる限り問わない。画面サイズの大きいほど遠くから見たときの視認性に優れている。
【００１５】
なお、スマートフォンケース２０は、帽子１０にスマートフォン３０を取り付けやすいように設けられた取り付け部材である。このため、例えばスマートフォンケース２０は省略し帽子１０に直接スマートフォン３０を取り付けてもよく、この場合、帽子１０にスマートフォン３０を直接取り付けるための取付部が設けられる。
【００１６】
また、一般にスマートフォン３０はスマートフォンケース２０を取り付けることで使用されることが多い。このため、使用中のスマートフォン３０及び装着中のスマートフォンケース２０のセットを帽子１０に装着することもできる。この場合、帽子１０にスマートフォンケース２０を直接取り付けるための取付部が設けられる。
【００１７】
（使用時）
図２は、本実施形態に係る情報発信端末付き帽子（使用時）を示す図である。図２に示されるように情報発信端末付き帽子１００は、帽子１０のスマートフォンケース２０にスマートフォン３０を嵌め込むように取り付けることで、帽子１０にスマートフォン３０が取り付けられる。
【００１８】
なお、図１及び２に示される帽子１０の場合、スマートフォン３０（スマートフォンケース２０）は、左右両側面の２箇所に取り付けられたがこれに限られることなく、例えば
前面に１箇所でもよく、また例えば前後両面の２箇所に取り付けることも可能である。
【００１９】
図３は、本実施形態に係る情報発信端末付き帽子の使用態様を示す図である。図３に示されるように帽子の装着者は情報発信端末付き帽子１００を頭部に被り、スマートフォン（情報発信端末）３０の画面上、広告データを再生表示することで情報発信を開始する。
【００２０】
更に装着者は観衆の注目を浴びるべく、所定の場所で歩き回ったり、ときにパフォーマー（演者）として一人または複数人でダンス等を行いながらパフォーマンスを行うこともできる。また必要に応じて帽子１００とマッチする衣装を揃えてもよい。
【００２１】
＜機能構成＞
図４は、本実施形態に係る情報発信端末の機能ブロックを示す図である。情報発信端末３０は、主な機能部として、位置情報取得部３０１、画像表示部３０２、音声出力部３０３、記憶部３０５を有する。
【００２２】
位置情報取得部３０１は、自端末の位置情報を取得する。画像表示部３０２は、広告コンテンツデータ（画像及び動画）を表示する。音声出力部３０３は、広告コンテンツデータ（画像及び動画の音声）を音声出力する。
【００２３】
記憶部３０５は、広告ＤＢ（Data Base）３０５ａに配信すべき広告コンテンツデータ（画像及び動画）を予め記憶する。なお、広告コンテンツ・データは位置情報と対応付けて記憶される。
【００２４】
なお、機能部は、情報発信端末３０を構成するコンピュータのＣＰＵ、ＲＯＭ、ＲＡＭ等のハードウェア資源上で実行されるコンピュータプログラムによって実現されるものである。これらの機能部は、「手段」、「モジュール」、「ユニット」、又は「回路」に読替えてもよい。また、情報発信端末３０は、上述したようにスマートフォン及びタブレット端末であるため、これら端末が備える機能（例えば演算・制御部、通信部、操作入力部等）は当然に備えることは言うまでもない。
【００２５】
図５は、本実施形態に係る広告ＤＢのデータ例を示す図である。図５に示されるように、広告ＤＢ１０５ａは、例えば、「広告ＩＤ」、「広告主ＩＤ」、「広告データ（広告コンテンツ）」、「位置情報」などのデータ項目を有する。
【００２６】
「広告ＩＤ」は、広告毎に付番される固有の識別子を示す。「広告主ＩＤ」は、広告主毎に付番される固有の識別子を示す。「広告データ」は、広告主に入稿された広告コンテンツ・データである。「位置情報」は、「広告データ」毎に対応付けられた位置情報である。広告主が入稿した「広告データ」を、表示したい「位置情報」と対応付ける。
【００２７】
＜情報処理＞
本実施形態に係る情報発信端末付き帽子が実行する情報処理について説明する。図６は、本実施形態に係る情報発信端末１０の広告配信処理を示すフローチャート図である。
【００２８】
Ｓ１：位置情報取得部３０１は、自端末の位置情報を取得したか否かを判定する。取得した場合、Ｓ２へ進む。
【００２９】
Ｓ２：画像表示部３０２は、広告ＤＢ３０５ａを参照し、取得した位置情報に対応する広告データを取得する。
【００３０】
Ｓ３：画像表示部３０２及び音声出力部３０３は、取得した広告データを配信する。
【００３１】
Ｓ４：広告データの配信終了の操作があった場合は本処理を終了し、ない場合は再びＳ１へ進む。
【００３２】
＜画面例＞
図７は、本実施形態に係る情報発信端末３０の画面例を示す図である。
【００３３】
例えば情報発信端末付き帽子１００の装着者が位置(x1,y1)及びその所定周辺範囲に位置する場合、画面上、情報発信端末３０は自端末の位置情報(x1,y1)に対応した広告データ「x1.mpg」を配信する。
【００３４】
具体的には（Ａ）に示されるように、画面３１には、「〇〇レストラン・・」の広告データが表示されている。位置(x1,y1)と「〇〇レストラン」の所在地とが対応付けられており、情報発信端末付き帽子１００の装着者が「〇〇レストラン」の周辺に位置している場合には、「〇〇レストラン」の広告が表示される。
【００３５】
なお、広告効果を高めるため、画面３１に示されるように「ドリンククーポン全品５０％ｏｆｆ」といった特典情報と、あわせて特定を入手するための手段として、観衆がクーポンを読み取り可能なＱＲコード（登録商標）を表示したり、これに代えて「パフォーマーの写メを提示してもOK」とするなどして、観衆の来店を一層促すことも可能である。
【００３６】
また、例えば情報発信端末付き帽子１００の装着者が位置(x2,y2)及びその所定周辺範囲に位置する場合、画面上、情報発信端末３０は自端末の位置情報(x2,y2)に対応した広告データ「x2.mpg」を配信する。
【００３７】
具体的には（Ｂ）に示されるように、画面３２には、「〇〇展示場  本日催しのお知らせ・・」との広告データが表示されている。位置(x2,y2)と「〇〇展示場」の所在地とが対応付けられており、情報発信端末付き帽子１００の装着者が「〇〇展示場」の周辺に位置している場合には、「〇〇展示場」の広告（告知）が表示される。
【００３８】
また、観衆の参加要素を取り入れて、観衆自らが情報発信端末３０の画面をタッチすることで、画面を切り替えるようにすることも可能である。切り替え後の画面には、広告の詳細、装着者（プロのプロのパフォーマー等の場合）、より特典度合いの高いシークレット特典情報などの情報を表示しうる。もしくは観衆が情報発信端末３０の画面をタッチした場合、音声（音楽）を切り替えてもよい。
【００３９】
＜総括＞
以上、本実施形態に係る情報発信端末付き帽子１００によれば、デジタルサイネージの一形態として、帽子にスマートフォンを装着し、装着者がパブリックスペースを動き回ることで、その斬新さと装着者等のパフォーマンスとで周囲の観衆の注目を集めながら、スマートフォンの画面上に広告を配信することができる。
【００４０】
また、以下の効果を奏することが可能である。
・近隣の狭小範囲でも容易に移動ができる（広告配信できる）。
・安価で広告の配信及び集客を実現できる。
・装着者はプロのパフォーマーのみならず、最低限は帽子を被るだけであるため、店主や店員等でも容易に自ら実施できる。
・位置情報に応じた広告を効果的に配信できる。
・広告にかかる音声は選択できる。例えば広告データの音声は有効としてもよいし、無効としつつ装着者が自ら口頭でアナウンスしてもよい。一切の音声をサイレントとし、表示配信のみで所望の情報を告知してもよい。
【００４１】
なお、本考案の好適な実施の形態により、特定の具体例を示して本考案を説明したが、実用新案登録請求の範囲に定義された本考案の広範な趣旨および範囲から逸脱することなく、これら具体例に様々な修正および変更を加えることができることは明らかである。すなわち、具体例の詳細および添付の図面により本考案が限定されるものと解釈してはならない。
【符号の説明】
【００４２】
１０        帽子
２０        スマートフォンケース
３０        スマートフォン（情報発信端末）
１００      情報発信端末付き帽子
３０１      位置情報取得部
３０２      画像表示部
３０３      音声出力部
３０５      記憶部
【図１】
0003222834.tif 000003
【図２】
0003222834.tif 000004
【図３】
0003222834.tif 000005
【図４】
0003222834.tif 000006
【図５】
0003222834.tif 000007
【図６】
0003222834.tif 000008
【図７】
0003222834.tif 000009